(57)【特許請求の範囲】
【請求項１】
２つの筐体を向かい合わせにしてその相互間に揮散剤の収納空間を形成する容器本体を有し、該容器本体をフックによって吊り下げる吊り下げ式揮散剤用容器であって、
前記容器本体の輪郭形状を形作る周壁部に、該周壁部に沿って伸延する環状溝部を設け、
前記フックに、該環状溝部に抜け止め保持され該フックを該環状溝部に沿って移動可能なスライダーと、前記揮散剤の残量表示用インジケータを収容するインジケータケースとを設け、
前記環状溝部は、それぞれの筐体の縁部に設けられた凹部を相互に突き合わせて形成されたものであり、
前記スライダーは、それぞれの筐体の相互間に位置し前記フックを固定保持するベースと、該ベースから前記環状溝部に向けて突設して該スライダーを抜け止め不能、かつ、移動可能に保持する摺動片とからなることを特徴とする吊り下げ式揮散剤用容器。
【請求項２】
前記容器本体を、ポリエチレンテレフタレートで構成し、前記フックを、ポリプロピレン又はポリエチレンで構成する請求項１記載の吊り下げ式揮散剤用容器。
【発明の詳細な説明】
【技術分野】
【０００１】
本発明は、揮散剤を収容し、洋服ダンスやクローゼット等のバーに吊り下げて使用する吊り下げ式揮散剤用容器に関するものであり、特に、衣類等とともにバーに吊り下げられた状態でも揮散剤の残量の確認が行いやすい上、使い勝手にも優れる技術を提案するものである。
【背景技術】
【０００２】
吊り下げ式揮散剤用容器としては、例えば、衣類用の防虫剤容器があり、容器内側に収容する揮散剤として防虫効果のある薬剤を含浸させたシート（防虫シート）を用いるとともに、上部に一体連結したフックで洋服ダンスやクローゼット等のバーに衣類等とともに直接吊り下げられるようにした、吊り下げ式防虫剤容器が知られている（例えば特許文献１参照）。特許文献１に記載の容器によれば、薬剤の収容スペースを狭めて容器を偏平状にできるので、衣類等の収納スペースを犠牲にすることなく使用することができる。
【０００３】
一方、上記容器は、防虫シートの残量（寿命）を表示するためのインジケータも併せて収容しているが、洋服ダンス等に吊り下げられた状態では隣り合う衣類等が邪魔になって直接視認することができず、容器をバーから取り外したり、吊り下げられた衣類等を横にずらしたりする必要があり、面倒な作業が不可避であった。
【０００４】
また、上記容器は、吊り下げた際に衣類等の邪魔にならないように、一般には上下方向の寸法を短くした横型となっているが、洋服ダンスのタイプや使用状況等によっては縦型で使用したいとの要望もあった。このような要望に対し、例えば特許文献２に記載のように、フックと容器本体とを別体で設け、容器本体の短片から長辺に亘ってＬ字状となるスライド部（溝）に、フックに設けた一対の係止部をそれぞれ外側から嵌め込んで、容器本体を横姿勢から縦姿勢に変位できるようにした容器も知られているが、衣類等をバーに吊り下げる際に、容器から外側に飛出しているフックの係止部と引っかかる懸念があり、未だ使い勝手の点で改善の余地が残されていた。
【先行技術文献】
【特許文献】
【０００５】
【特許文献１】特開２００５−３３３９４３号公報
【特許文献２】特開２００７−９７５１２号公報
【発明の概要】
【発明が解決しようとする課題】
【０００６】
本発明の課題は、洋服ダンスやクローゼット等のバーに吊り下げて使用する吊り下げ式揮散剤用容器に関し、衣類等とともにバーに吊り下げられた状態でも揮散剤の残量の確認が行いやすく、様々な使用状況に応じて姿勢を変位させることができる上、十分な強度も兼ね備える使い勝手に優れた揮散剤用容器を提案するところにある。
【課題を解決するための手段】
【０００７】
本発明は、２つの筐体を向かい合わせにしてその相互間に揮散剤の収納空間を形成する容器本体を有し、該容器本体をフックによって吊り下げる吊り下げ式揮散剤用容器であって、
前記容器本体の輪郭形状を形作る周壁部に、該周壁部に沿って伸延する環状溝部を設け、
前記フックに、該環状溝部に抜け止め保持され該フックを該環状溝部に沿って移動可能なスライダーと、前記揮散剤の残量表示用インジケータを収容するインジケータケースとを設け、
前記環状溝部は、それぞれの筐体の縁部に設けられた凹部を相互に突き合わせて形成されたものであり、
前記スライダーは、それぞれの筐体の相互間に位置し前記フックを固定保持するベースと、該ベースから前記環状溝部に向けて突設して該スライダーを抜け止め不能、かつ、移動可能に保持する摺動片とからなることを特徴とする吊り下げ式揮散剤用容器である。
【０００９】
前記容器本体を、ポリエチレンテレフタレートで構成し、前記フックを、ポリプロピレン又はポリエチレンで構成することが望ましい。
【発明の効果】
【００１０】
揮散剤を収納する容器本体に、この容器本体の輪郭形状を形作る周壁部に沿って伸延する環状溝部を設け、容器本体を吊り下げるフックに、環状溝部に抜け止め保持されフックを環状溝部に沿って移動可能なスライダーと、揮散剤の残量表示用インジケータを収容するインジケータケースとを設けたので、使用状況に応じて容器本体の姿勢を自由に変位させることができる。更に衣類等とともに吊り下げられた状態でも、衣類等に対してインジケータが上部に配置されることになるので、揮散剤の残量の確認が行いやすくなる。
【００１１】
環状溝部を、それぞれの筐体の縁部に設けられた凹部を相互に突き合わせて形成し、スライダーに、それぞれの筐体の相互間に配置されフックを固定保持するベースと、ベースから環状溝部に向けて突設してスライダーを抜け止め不能、かつ、移動可能に保持する摺動片とを設けることで、フックを容器の幅内で保持して省スペース化が図れるとともに、フックの係止部が露出していないので、衣類等を吊り下げる際に誤って容器を破損させてしまう恐れがない。
【００１２】
容器本体を、ポリエチレンテレフタレートで構成し、フックを、揮散剤に含浸させた薬剤（例えばピレスロイド）が吸収されにくいポリエチレンテレフタレートの作用によって、防虫効果を十分に発揮することができるだけでなく、機械的強度に優れるポリプロピレン又はポリエチレンの作用により、フックの強度をより高めることができる。
【図面の簡単な説明】
【００１３】
【図１】本発明に従う吊り下げ式揮散剤用容器の一形態である、吊り下げ式防虫剤用容器につき、（ａ）は２つの筐体のうちの一方の筐体とフックとを、筐体の凹部にフックの摺動片を係合させた状態で示した平面図であり、（ｂ）は（ａ）のＡ−Ａに沿う断面図である。
【図２】図１に示す吊り下げ式防虫剤容器につき、（ａ）は他方の筐体の平面図であり、（ｂ）は（ａ）のＢ−Ｂに沿う断面図である。
【図３】図１、２に示す２つの筐体を向かい合わせに結合させて、その一部を容器の中央に沿う断面で示した、部分断面側面図である。
【図４】図１に示す吊り下げ式防虫剤容器につき、フックが筐体の長辺側に位置する姿勢を示す平面図である。
【発明を実施するための形態】
【００１４】
以下、図面を参照して、本発明の一形態である、吊り下げ式防虫剤用容器をより具体的に説明する。
図１は、本発明に従う吊り下げ式揮散剤用容器の一形態である、吊り下げ式防虫剤用容器につき、（ａ）は２つの筐体のうちの一方の筐体とフックとを、筐体の凹部にフックの摺動片を係合させた状態で示した平面図であり、（ｂ）は（ａ）のＡ−Ａに沿う断面図であり、図２は、図１に示す吊り下げ式防虫剤容器につき、（ａ）は他方の筐体の平面図であり、（ｂ）は（ａ）のＢ−Ｂに沿う断面図であり、図３は、図１、２に示す２つの筐体を向かい合わせに結合させて、その一部を容器の中央に沿う断面で示した、部分断面側面図であり、図４は、図１に示す吊り下げ式防虫剤容器につき、フックが筐体の長辺側に位置する姿勢を示す平面図である。
【００１５】
図１（ａ）において、１ａは、容器本体１を構成する２つの筐体のうちの一方の筐体である。図示の例で筐体１ａは矩形状となっている。ここで、図２（ａ）に示す他方の筐体は、図１（ａ）に示す一方の筐体１ａと同一形状であり、図１（ａ）の筐体１ａを上下逆さまにして配置したものである。
このように、容器本体１を２つの筐体１ａを同一形状とし、向かい合わせに結合させる構成とすることにより、筐体の成形における成形金型を複数用意することがないので、生産効率を向上できると共に、製造コストを削減することができる。
【００１６】
筐体１ａは、基部１ｂを備えており、基部１ｂの全周を取り囲む周壁部１ｃによって凹部空間を形成している。筐体１ａは、図１（ｂ）に示すように、基部１ｂから凹部空間に向けて突出する大爪部１ｄを、筐体１ａの短辺に沿う向きに対向させて設けるとともに、図２（ｂ）に示すように、基部１ｂから内向きに突出する小爪部１ｅを、筐体１ａの短辺に沿う向きに対向させて設け、図１（ａ）、図２（ａ）に示すように、１つの筐体１ａに、大爪部１ｄと小爪部１ｅとを各一対ずつ設けたものである。これにより各筐体１ａを向かい合わせにして組み合わせると、大爪部１ｄと小爪部１ｅとが係合して、図３に示す収納空間Ｓが形成され、この収納空間Ｓに、図１（ａ）にハッチングを付して示す揮散剤、ここに示す吊り下げ式防虫剤用容器の例では防虫シートＰが収納される。なお揮散剤としては、他にも芳香剤や消臭剤等各種のものが適用可能であり、使用目体に応じ上記防虫シートＰに代えて、これら芳香剤シートや消臭剤シート等を適用することができる。
【００１７】
基部１ｂは、その表裏を貫通して収納空間Ｓと外界とを連通させた揮散孔１ｆを備えている。図示の例では矩形状の孔を６個設ける場合を示しているが、孔の形状や個数は、適宜変更することができる。また基部１ｂは、収納空間Ｓに向けて突出する先細りの支持部１ｇを備えていて（図示の例では６個）、防虫シートＰを基部１ｂから隙間をあけて支持することができる。
【００１８】
また周壁部１ｃの内側には、環状の内側壁部１ｈが形成されていて、周壁部１ｃと内側壁部１ｈとの相互間には、環状の凹部１ｉが形成されている。これにより、各筐体１ａを向かい合わせにして凹部１ｉを相互に突き合わせると、図３に示すように断面方向での形状が「Ｔ」字状となる環状溝部Ｍが形成される。
【００１９】
図１において、２は、容器本体１を例えば洋服ダンスやクローゼット等のバーに吊り下げるフックである。フック２は、バーの直径に対応する円弧の一部を切り欠いた形状となっている。またフック２は、容器本体１の環状溝部Ｍに抜け止め保持されてフック２を環状溝部Ｍに沿って移動することができるスライダー２ａを備えている。図３に示すようにスライダー２ａは、２つの筐体１ａの相互間に位置しフック２を固定保持するベース２ａ１（図示の例ではベース２ａ１に直接フック２を形成している）と、ベース２ａ１から環状溝部Ｍに向けて両外側に突設する摺動片２ａ２とを備えていて、「Ｔ」字状の環状溝部Ｍにはまり込んでいる。これによりスライダー２ａは、環状溝部Ｍに抜け止め不能、かつ、移動可能に保持されている。さらにスライダー２ａに、環状溝部Ｍの外周側でベース２ａ１から両外側に突設するガイドリブ２ａ３を設ける場合は、スライダー２ａの姿勢が安定するので、より摺動しやすくすることができる。
【００２０】
また図示の例でフック２は、その外周部に沿う補強リブ２ｂを備えており、吊り下げ時にフック２に作用する力に対して強度を確保している。
【００２１】
図１において、３は、揮散剤の残量（寿命）表示用のインジケータ、図示の例では防虫シートＰの残量（寿命）表示用インジケータＩ（図１（ａ）にハッチングを付して示す）を収容するインジケータケースである。インジケータケース３は、フック２の背面部でベース２ａ１と連結する基体３ａと、基体３ａとヒンジ３ｂを介して連結する蓋体３ｃとからなる。基体３ａ及び蓋体３ｃは、それぞれの基部３ａ１、３ｃ１を取り囲んで立ち上がる環状の周壁部３ａ２、３ｃ２によって、その内側に凹部空間を形成している。また周壁部３ａ２の内側には、その外壁が周壁部３ｃ２の内壁に対応するサイズとなる環状のリブ３ａ３が設けられている。これにより、蓋体３ｃをヒンジ３ｂに沿って折り曲げると、基体３ａ及び蓋体３ｃの内側にインジケータＩを収容する内部空間が形成されるとともに、周壁部３ｃ２と環状リブ３ａ３が嵌合して蓋体３ｃを閉姿勢に維持することができる。この場合、基部３ａ１、３ｃ１のそれぞれから内部空間へ向けて突設するインジケータＩ用の支持リブを設ける場合には、インジケータＩを、基体３ａと蓋体３ｃとの合わせ面付近で安定して保持することができる。
【００２２】
また基体３ａ及び蓋体３ｃは、基部３ａ１、３ｃ１を表裏において貫通させた窓孔３ａ４、３ｃ３を有していて、窓孔３ａ４、３ｃ３を通してインジケータＩの表示状況を確認することができる。
【００２３】
上記のように構成される吊り下げ式防虫剤容器を組み立てるにあたっては、一方の筐体１ａ及びフック２を、図１（ａ）に示すように筐体１ａの凹部１ｉにフック２の摺動片２ａ２を係合させておき、さらに防虫シートＰを筐体１ａに載置した状態で、図２（ａ）に示す他方の筐体１ａを、一方の筐体１ａと向かい合わせにして突き合わせる。これにより、大爪部１ｄと小爪部１ｅとが係合して、防虫シートＰを容器本体１に収納することができる。またインジケータＩを基体３ａに載置しておき、蓋体３ｃをヒンジ３ｂに沿って折り曲げることで、インジケータＩをインジケータケース３に収容することができる。
【００２４】
フック２は、摺動片２ａ２が２つの筐体１ａの凹部１ｉに係合しているので、環状溝部Ｍに沿って移動させることができる。このため本発明に従う容器は、図１〜３に示すように矩形状の容器の短辺側にフック２が配置される縦姿勢での吊り下げや、図４に示す、容器の長辺側にフック２が配置される横姿勢での吊り下げ、さらにはこれらの中間部にフック２が位置する任意の姿勢で容器を吊り下げ保持することができる。この場合、インジケータケース３は、隣接した吊り下げられる衣類等の上部に配置されることになり、しかも窓孔３ａ４又は３ｃ３のいずれの窓孔からもインジケータＩの表示状況を確認することができるので、防虫シートＰの残量の確認が行いやすくなる。なお環状溝部Ｍ内に、溝幅を狭くする小突起を設ける場合は、小突起が突設する部位でフック２の移動を一時停止させることができるので、所期する姿勢での保持が容易となる。
【００２５】
さらにフック２は、図３に示すように２つの筐体１ａの合わせ面に形成される環状溝部Ｍに保持されて、容器本体１の幅内に収まるので、省スペース化を図ることができる。
【００２６】
加えて、容器本体１を、ポリエチレンテレフタレートで構成する場合は、例えば防虫剤特有の臭いがなく、防虫効果の高いピレスロイドを含浸させた防虫シートＰを使用する場合にも、ピレスロイドが吸収されにくいポリエチレンテレフタレートの作用によって、防虫効果を十分に発揮することができる。一方、フック２を、ポリプロピレン又はポリエチレンで構成する場合は、機械的強度に優れるポリプロピレン又はポリエチレンの作用により、フック２の強度を高めることができる。なお、ポリプロピレンやポリエチレンはヒンジ特性（繰り返し曲げに強い）にも優れているので、図示の例のように、フック２とインジケータケース３とを一体成型物とする場合は、インジケータケース３のヒンジ３ｂの機能を十分に発揮させることができる。
【産業上の利用可能性】
【００２７】
本発明によれば、衣類等とともにバーに吊り下げられた状態でも揮散剤の残量の確認が行いやすく、様々な使用状況に応じて姿勢を変位させることができる上、十分な強度も兼ね備える使い勝手に優れた揮散剤用容器を提供できる。
【符号の説明】
【００２８】
１    容器本体
１ａ  筐体
１ｂ  基部
１ｃ  周壁部
１ｄ  大爪部
１ｅ  小爪部
１ｆ  揮散孔
１ｇ  支持部
１ｈ  内側壁部
１ｉ  凹部
２    フック
２ａ  スライダー
２ａ１  ベース
２ａ２  摺動片
２ａ３  ガイドリブ
２ｂ  補強リブ
３    インジケータケース
３ａ  基体
３ｂ  ヒンジ
３ｃ  蓋体
Ｓ    収納空間
Ｐ    防虫シート（揮散剤）
Ｉ    インジケータ
Ｍ    環状溝部
【図１】
0005591728.tif 000002
【図２】
0005591728.tif 000003
【図３】
0005591728.tif 000004
【図４】
0005591728.tif 000005